(57)【要約】【課題】  移動可能であって、簡易に組み立て可能であって、屋内又は屋外を問わず、所望の場所に局所空調空間を設けて、快適作業空間を創出したり、あるいは冷蔵、冷凍又は冷却する必要がある要保冷物を所望の場所で簡易に冷蔵、冷凍又は冷却することができるとともに、収納物の搬入又は搬出を容易に行なうことができる移動式空調設備を実現する。【解決手段】  移動可能であって外部に対し密閉可能な仕切り空間を形成し得る筐体からなり、同仕切り空間内を空調する空調装置５，６を備えた移動式空調設備において、筐体１の隔壁２，３を柔軟性シートで構成するとともに、同隔壁の少なくとも一部を可動隔壁シート４ａで構成して開閉可能とし、空調装置の室内機５と室外機６とを連結する冷媒配管８を設け、筐体１の下部に移動用キャスタ７を設ける。【選択図】  図１
2006329530.tif 000002
【特許請求の範囲】
【請求項１】
移動可能であって外部に対し密閉可能な仕切り空間を形成し得る筐体からなり、同仕切り空間内を空調する空調装置を備えた移動式空調設備において、
前記筐体の隔壁を柔軟性シートで構成するとともに、
前記隔壁の少なくとも一部を可動隔壁シートで構成して開閉可能とし、
前記筐体の内外に設けた空調装置の室内機及び室外機を冷媒配管で接続し、
前記筐体の下部に移動用キャスタを設けたことを特徴とする移動式空調設備。
【請求項２】
前記筐体の天井面を構成する隔壁を可動隔壁シートで構成して開閉可能としたことを特徴とする請求項１記載の移動式空調設備。
【請求項３】
前記可動隔壁シートを上下方向に伸縮可能に構成し、
収納物の搬出又は搬入時に巻き上げるようにしたことを特徴とする請求項１記載の移動式空調設備。
【請求項４】
前記筐体を折りたたみ可能に構成したことを特徴とする請求項１記載の移動式空調設備。
【請求項５】
前記可動隔壁シートを断熱材からなる１重又は２重膜構造とし、
該２重膜構造の場合には該２重膜の間に断熱層を介装したことを特徴とする請求項１記載の移動式空調設備。
【発明の詳細な説明】
【技術分野】
【０００１】
本発明は、移動可能で、簡易に組み立ても可能で、必要なときに必要な場所を区画し、その中を空調することによる快適作業空間の創出、又は冷蔵、冷凍もしくは冷却することによる冷蔵又は冷凍保管空間を創出し得る移動式空調設備に関する。
【背景技術】
【０００２】
従来可搬式であって大気中の局所的空間を空調するための空調装置が数多く提案されている。
例えば特許文献１（特開平３−２４１２４５号公報）には、特定エアゾーン内の空気を空調するため、調和空気を発生する調和空気発生ユニットと、この調和空気発生ユニットで発生した調和空気を吸引してこれを付勢する送風ユニットと、エアゾーンの上部に配設され前記送風ユニットから送られた調和空気を膜状として下方に向かって吹き出すことにより膜状の調和空気流によって囲まれたエアゾーンを形成するエアガイドとを備えることにより、特定エアゾーンを膜状の調和空気流で囲んで空調するゾーン空調装置が開示されている。
【０００３】
また特許文献２（実開平６−２８５４１号公報）には、可搬式であって、所望の場所に移動して対象物に暖気又は冷気を供給できる局所空調器が開示されている。図７はこの局所空調器の斜視図である。図７において、０１はケーシングで、ケーシング０１の内部に設けられた空調機構を隔壁０４により区画０２及び０３の２つの区画に分離している。
【０００４】
０５は、空気を取り入れる吸気口であり、外気は吸気口０５に取り付けられたフィルタ０６を経由してブロワ（図示略）により機器内部に吸引される。ケーシング０１内に収納された空調機構（図示略）により処理された空気は、フード０７により誘導され、ケーシング０１の上部に設けられた開口部０８を経由して、その開口部０８に着脱自由なジョイント０９により接続したホース０１０の他端は、着脱自由なジョイント０１１によりディヒューザ０１２と接続しており、空調された空気はディヒューザ０１２を通じて排出される。０１３は、この局所空調器を移動可能とする台車である。
かかる構成の装置により、局所的に暖気あるいは冷気を必要とする所望の位置に最終送風口であるディヒューザ０１２を移動配置し、対象物あるいはその周辺を暖めたり冷やしたりすることができる。
【０００５】
また特許文献３（特開平８−１９９８５７号公報）には、移動式展示会場や移動式公演会場等に用いられ、空調設備を備えた大型テントが開示されている。このテントの隔壁は、外膜と内膜との間に形成された隙間による断熱効果によってテント内と外界とを熱的に遮断するとともに、その隙間に形成されたダクト部を通じて空調機で作られた空調空気をテント内部に送ることができるようにしたものである。
【０００６】
【特許文献１】特開平３−２４１２４５号公報
【特許文献２】実開平６−２８５４１号公報
【特許文献３】特開平８−１９９８５７号公報
【発明の開示】
【発明が解決しようとする課題】
【０００７】
しかしながら特許文献１に開示されたゾーン空調装置は、人間に対してはある程度の快適感を与えることができるが、空調ゾーンが隔壁で覆われていないため、正確な設定温度に保つことが困難であり、正確な温度に保温あるいは保冷する必要のある収納物に対しては使用することができない。
【０００８】
また特許文献２の可搬式局所空調器においても、空調器周辺をある程度の温度に空調することはできるが、隔壁で仕切られていないので、洗濯物の乾燥や冷凍物の解凍には使用できるが、特許文献１と同様に正確な温度に保温又は保冷する必要のある収納物に対しては使用することができない。
【０００９】
また特許文献３のテント構造においては、外膜と内膜との間に形成された隙間による断熱効果によってテント内と外界とを熱的に遮断するので、保温効果は良いが、空調機を含めて大掛かりな設備となってしまい、また可搬式でもないので、所望の場所に手軽に局所空調空間を形成するのには不向きであった。
【００１０】
本発明は、かかる従来技術の課題に鑑み、移動可能であって、簡易に組み立て可能であって、屋内又は屋外を問わず、所望の場所に局所空調空間を設けて、快適作業空間を創出したり、あるいは冷蔵、冷凍又は冷却する必要がある要保冷物を所望の場所で簡易に冷蔵、冷凍又は冷却することができるとともに、収納物の搬入又は搬出を容易に行なうことができる移動式空調設備を実現することを目的とする。
【課題を解決するための手段】
【００１１】
前記目的を達成するため、本発明の移動式空調設備は、
移動可能であって外部に対し密閉可能な仕切り空間を形成し得る筐体からなり、同仕切り空間内を空調する空調装置を備えた移動式空調設備において、
前記筐体の隔壁を柔軟性シートで構成するとともに、
前記隔壁の少なくとも一部を可動隔壁シートで構成して開閉可能とし、
前記筐体の内外に設けた空調装置の室内機及び室外機を冷媒配管で接続し、
前記筐体の下部に移動用キャスタを設けたことを特徴とする。
【００１２】
本発明の空調設備においては、前記筐体の下部に移動用キャスタを設けて移動可能とし、前記筐体の隔壁を柔軟性シートで構成する等簡易な構成とし、また筐体側壁の一部を可動隔壁シートで構成して開閉可能とし、収納物の搬入及び搬出を自由に行なうことができるようにしている。
なお本発明の空調装置は、冷暖房用の空調装置及び筐体内空間の冷蔵、冷凍や冷却を目的とした装置、その他所望の温度に保持する保温装置を含むものとする。
【００１３】
本発明において、空調装置の室内機を筐体の内部に設置して、筐体内を所望の温度に空調したり、あるいは冷凍、冷蔵、冷却を可能とし、空調装置の室外機は筐体の外部で筐体の外壁に取り付けるなど筐体と一体に取り付けてもよいし、あるいは筐体と別個に離隔した位置に取り付けてもよい。
【００１４】
本発明において、好ましくは、前記筐体の天井面を構成する隔壁を開閉可能とし、同天井面の開口から前記筐体の内部に収納した収納物を搬出可能とする。
また好ましくは、前記筐体を組み立てが簡易になるように折りたたみ可能に構成してもよい。
また好ましくは、前記可動隔壁シートを上下方向に伸縮可能に構成し、収納物の搬出又は搬入時に巻き上げるようにする。これによって収納物の搬出又は搬入時を容易に行なうことができる。
【００１５】
また本発明設備において、好ましくは、前記可動隔壁シートを断熱材からなる１重又は２重膜構造とし、該２重膜構造の場合には該２重膜の間に断熱層を介装した構成とする。これによって保温効果を高めることができる。断熱材として、例えば軟質ウレタン等が使用できる。断熱材からなる２重膜構造としては、例えば折り畳み式の軟質断熱材同士を二重にさせるように縫合して、間に空間をもたせる構造（蛇腹式構造）、即ち空気層からなる断熱層を形成する等の構造を採用してもよい。
【発明の効果】
【００１６】
本発明によれば、筐体の隔壁を柔軟性シートで構成するとともに、前記隔壁の少なくとも一部を可動隔壁シートで構成して開閉可能とし、前記筐体の内外に設けた空調装置の室内機及び室外機を冷媒配管で接続し、前記筐体の下部に移動用キャスタを設けたことにより、所望の局所空間に空調された快適作業空間を創出したり、あるいは冷蔵、冷凍又は冷却するための局所空間を容易に創出することができる。
また前記筐体を簡易な構成とし、これによって組み立てを容易にすることができ、また収納物の搬入及び搬出が容易になるとともに、所望の場所に自在に移動することができる。
【００１７】
また好ましくは、前記筐体の天井面を構成する隔壁を開閉可能とし、同天井面の開口から前記筐体の内部に収納した収納物を搬出可能とすることにより、クレーン等による大型収納物あるいは重量物の搬入を容易に行なうことができる。
また好ましくは、前記筐体を折りたたみ可能に構成することにより、移動が容易になるとともに、さらに簡易に組み立てが可能となる。
【００１８】
また好ましくは、前記筐体の可動隔壁シートを上下方向に伸縮可能に構成し、収納物の搬出又は搬入時に巻き上げるようにすることにより、収納物の搬出又は搬入をさらに容易に行なうことができる。
また好ましくは、前記可動隔壁シートを断熱材からなる１重又は２重膜構造とし、該２重膜構造の場合には該２重膜の間に断熱層を介装した構成とすることにより、保温効果を高めることができる。
【発明を実施するための最良の形態】
【００１９】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
図１は、本発明装置の第１実施例の立面図、図２は、前記第１実施例の組み立て行程を示す説明図、図３は、前記第１実施例の隔壁シートの断面図、図４は、前記第１実施例の可動隔壁シートの巻き上げ状況を示す模式図である。
【実施例１】
【００２０】
図１〜４において、１は、外部に対し密閉可能な仕切り空間を形成し得るボックス本体であり、ボックス本体１の側壁シート２及び天井面３は、例えば軟質ウレタン等の柔軟性シートで構成されている。
またボックス本体１の側壁シート２が可動隔壁シート４ａ及び４ｂで構成され、可動隔壁シート４ａ及び４ｂは、上下方向ｄに伸縮可能に構成されている。その伸縮機構は、例えば可動隔壁シート４ａに設けられた巻上げ紐を小型の電動モータで駆動される巻き上げ機で巻き上げるようにしてもよいし、あるいは同巻上げ紐を手動で巻き上げるようにしてもよい。
【００２１】
またボックス本体１の内部には、側壁内面に空調装置の室内機５が取り付けられ、ボックス本体１の側壁の外面には空調装置の室外機６が取り付けられ、室内機５と室外機６とは可撓性の冷媒配管８で連結されている。またボックス本体１の下部には四方にキャスタ７が取り付けられて、ボックス本体１が移動可能になっている。
【００２２】
図２は、ボックス本体１の組み立て行程を示す説明図であり、図において、折り畳み時には折り畳み自在ジョイント１１の部分で折り畳まれていた各フレーム９ａ、９ｂ、９ｃ及び９ｄが、矢印ａ及びｂの方向に伸長されて、ボックス本体１が横方向に拡張される。図（ｃ）に示すように、組み立て完了時には、ボックス本体１の骨組みを構成するフレーム９ａ、９ｂ、９ｃ及び９ｄが完全に伸長されて、一方向のフレームとして固定され、組み立てが完了する。
【００２３】
図３は、側壁シート２、天井面３及び可動隔壁シート４ａ、４ｂを構成する隔壁シート２１の断面図であり、図において、隔壁シート２１は、例えば軟質ウレタンなどのように、柔軟性を有しかつ断熱性を有する材料からなる柔軟性シート２２を２重に配置し、その間に例えば発砲ポリスチレン樹脂、発泡ポリプロピレン樹脂、発泡ポリウレタン樹脂等のような断熱材を装填して構成され、良好な柔軟性と断熱性を有する。
なお隔壁シート２１は、柔軟性を有しかつ断熱性を有する材料で１重に構成してもよい。
【００２４】
かかる構成の第１実施例において、図４に示すように、空調装置の室内機５から冷風又は温風ｃをボックス本体１内に吹き出してボックス本体１内を空調する。この場合ボックス本体１内に収納される対象物１１の種類によって、冷房もしくは暖房、又は冷蔵、冷凍、冷却など空調の仕方を適宜設定すればよい。
【００２５】
第１実施例によれば、図４に示すように、側壁シート２の一部を可動隔壁シート４ａ、４ｂとしたことにより、対象物１１をフォークリフト１２等によってボックス本体１内に搬入する際に、一方の可動隔壁シート４ａを巻き上げて開放することにより、容易に対象物１１を搬入することができる。
またボックス本体１の隔壁を柔軟シートで構成しているため、大掛かりな構成とならず、かつ安価で済み、また図２に示すように折り畳み可能であるので、移動に便利であり、また組み立てが容易である。
【００２６】
また移動用キャスタ７を備えているため、移動が自在であり、所望の場所に局所的空調空間を容易に創出することができる。
またボックス本体１の隔壁シート２１を、図３に示すように間に断熱材２３を装填した断熱柔軟性シート２２の２重壁で構成しているため、良好な断熱性を保持することができる。
【実施例２】
【００２７】
次に本発明装置の第２実施例を図５及び６に基づいて説明する。図５は、本発明の第２実施例の立面図、図６は、第２実施例において対象物の搬出入時を示す模式図である。図において、ボックス本体３１の側壁シート３２及び天井面３３は、第１実施例と同様に柔軟性及び断熱性を有するシート２２で構成されている。側壁シート３２は、第１実施例と同様に可動隔壁シートで構成され、上下方向ｄに伸縮可能に構成されている。
第２実施例が第１実施例と異なるところは、空調装置の一部を構成する室外機３６がボックス本体３１とは別個に構成されており、ボックス本体３１と離隔した位置に自由に設置できるようになっており、別々に設置、移動、収納できるようになっている点である。
【００２８】
さらに第１実施例と異なるところは、天井面３３が開閉可能になっている点である。天井面３３の開閉機構は、第１実施例の可動隔壁シート４ａ、４ｂのように、伸縮可能に構成してもよいし、あるいは別な手段を採用してもよい。なお３８は、ボックス本体３１内に設置された室内機３５と室外機３６とを結ぶ可撓性の冷媒配管である。
【００２９】
かかる構成の第２実施例によれば、天井面３３が開閉可能に構成されているので、ボックス本体３１の内部に収納された対象物４１が大型のものあるいは重量物であっても、クレーン４２等の吊り上げ装置を使って容易に搬入又は搬出することができる。
また第２実施例においても、ボックス本体３１の側壁シート３２及び天井面３３は、第１実施例と同様に柔軟性シート２１で構成しているので、組み立てが容易であり、また移動用キャスタ３７を装備しているので、任意の場所に移動して局所的な空調空間あるいは冷蔵・冷凍・冷却空間を自由に創出することができる。
【産業上の利用可能性】
【００３０】
本発明によれば、移動可能で、簡易に組み立ても可能で、必要なときに必要な場所を区画し、その中を空調することによる快適作業空間の創出、又は冷蔵、冷凍又は冷却するために局所空間を容易に創出し得る移動式空調設備を実現することができる。
【図面の簡単な説明】
【００３１】
【図１】本発明装置の第１実施例の立面図である。
【図２】前記第１実施例の組み立て行程を示す説明図である。
【図３】前記第１実施例の隔壁シートの断面図である。
【図４】前記第１実施例の可動隔壁シートの巻き上げ状況を示す模式図である。
【図５】本発明の第２実施例の立面図である。
【図６】前記第２実施例において対象物の搬出入時を示す模式図である。
【図７】従来の局所空調器の斜視図である。
【符号の説明】
【００３２】
１、３１  ボックス本体
２、３２  側壁シート
３、３３  天井面
４ａ、４ｂ  可動隔壁シート
５、３５  室内機
６，３６  室外機
７，３７  キャスタ
８，３８  冷媒配管
９ａ、９ｂ  上部フレーム
９ｃ、９ｄ  下部フレーム
１１，４１  対象物
１２  フォークリフト
２１  隔壁シート
２２  柔軟性シート
２３  断熱材
４２  クレーン
ａ、ｂ  伸長方向
ｃ  冷風又は温風
【図１】
2006329530.tif 000003
【図２】
2006329530.tif 000004
【図３】
2006329530.tif 000005
【図４】
2006329530.tif 000006
【図５】
2006329530.tif 000007
【図６】
2006329530.tif 000008
【図７】
2006329530.tif 000009